(57)【特許請求の範囲】
【請求項１】
トンネル内に設置された換気機を少なくとも計測制御運転またはプログラム運転に切り換えて運転するトンネル換気設備の運転方法において、
前記計測制御運転では、トンネル内の風向風速および煙霧透過率を測定し、
少なくとも前記風向風速または前記煙霧透過率の測定値に基づいて所定の周期毎に前記換気機の換気方向または運転台数の制御出力を決定し、該制御出力により前記換気機の換気方向または運転台数を制御し、
前記プログラム運転では、前記周期毎にあらかじめ設定された制御出力値を用いて前記換気機の換気方向および運転台数を制御し、
前記周期毎の前記計測制御運転の制御出力の所定期間の実績を累積移動平均値として演算し、該累積移動平均値を前記プログラム運転の新たな前記制御出力値として更新し、
一定期間ごとに前記所定期間を変更して前記累積移動平均値を演算することを特徴とするトンネル換気設備の運転方法。
【請求項２】
請求項１記載のトンネル換気設備の運転方法において、
少なくとも前記煙霧透過率の測定値が設定値を下回った場合には、
前記計測制御運転または前記プログラム運転の前記周期にかかわらず、前記換気機の運転台数を最大とする非常制御運転により運転することを特徴とするトンネル換気設備の運転方法。
【請求項３】
請求項１または２記載のトンネル換気設備の運転方法において、
トンネル内の一酸化炭素濃度を測定し、少なくとも該一酸化炭素濃度の測定値が設定値を上回った場合には、
前記計測制御運転または前記プログラム運転の前記周期にかかわらず、前記換気機の運転台数を最大とする非常制御運転により運転することを特徴とするトンネル換気設備の運転方法。
【請求項４】
請求項２または３記載のトンネル換気設備の運転方法において、
前記非常制御運転が一定時間継続した場合には、
前記プログラム運転により運転することを特徴とするトンネル換気設備の運転方法。
【請求項５】
請求項２ないし４のいずれか１項記載のトンネル換気設備の運転方法において、
前記非常制御運転により運転した期間においては、
前記計測制御運転の制御出力に代えて前記非常制御運転の制御出力を用いることを特徴とするトンネル換気設備の運転方法。
【発明の詳細な説明】
【技術分野】
【０００１】
本発明は、自動車道路トンネルにおける換気設備の運転方法に関する。
【背景技術】
【０００２】
自動車道路トンネルには、走行する自動車の排ガスを換気するための換気設備が設置されることが多い。換気設備は、主に、ジェットファン（以下「ＪＦ」）、排風機、送風機、煙霧透過率測定装置（以下「ＶＩ計」）、一酸化炭素濃度計測装置（以下「ＣＯ計」）、風向風速測定装置（以下「ＡＶ計」）、トラフィックカウンタ、換気計測盤、換気制御盤、換気動力盤などから構成されている（特許文献１参照）。
【０００３】
従来の自動車道路トンネルにおける換気設備の運転方法を図１０に基づいて説明する。
図１０において、１はＪＦ、２はＶＩ計、３はＣＯ計、４はＡＶ計、５は計測盤、６は換気制御盤、７は換気動力盤を示している。
【０００４】
ＶＩ計２、ＣＯ計３、ＡＶ計４はトンネル内に設置されており、トンネル内の空気環境を計測する。その計測値は、計測盤５を経由または直接換気制御盤６へ入力される。換気制御盤６では、計測制御運転とプログラム運転が選択できるようになっている。計測制御運転の場合、ＶＩ計２、ＣＯ計３、ＡＶ計４の計測値をもとにトンネル内の換気に必要なＪＦ１の運転台数や換気方向を判定し、換気動力盤７へＪＦ１の運転台数および換気方向についての指令信号を出力する。指令信号を入力した換気動力盤７は、電力を供給して必要な台数のＪＦ１の運転を行うとともに、ＪＦ１の換気方向を制御する。
【０００５】
ＶＩ計２、ＣＯ計３、ＡＶ計４が故障した場合や、点検などのために正常に動作できない場合には、換気制御盤６はプログラム運転に切り換わる。この切り換えは、シーケンスで自動的に行うことや、オペレータの指令で行うことができる。プログラム運転では、任意に決められた時刻に対して、あらかじめＪＦ１の運転台数と換気方向が設定されている。プログラム運転に切り替わった場合には、換気制御盤６から、あらかじめ設定された運転台数と換気方向のＪＦ１への運転指令を換気動力盤７へ出力する。
【０００６】
プログラム運転の設定値は、トンネルごとに設定する必要がある。しかし、従来は計測制御運転における運転実績からオペレータの判断で設定しており、オペレータ個人の感覚に依存していた。従って、プログラム運転における設定値の妥当性が非常に曖昧であるとともに効果的な換気の実現を困難にしていた。そのため、適切な設定を行い、効率の良いトンネル内換気を実現する必要があった。
【０００７】
そこで、プログラム運転における換気設備の運転方法において、ＶＩ計、ＣＯ計およびＡＶ計の計測値に基づく計測制御運転の制御結果の過去の一定期間の実績を平均化してプログラム運転の設定値とし、それを順次更新することによりプログラム運転の設定値を自動的に変更する方法が考えられている（特許文献２参照）。
【先行技術文献】
【特許文献】
【０００８】
【特許文献１】特開平５−１５６８９９号公報
【特許文献２】特許第３１２９０５２号公報
【発明の概要】
【発明が解決しようとする課題】
【０００９】
特許文献２の方法でプログラム運転における効率の良い換気を実現するためには、ＶＩ計等の計測値に基づく計測制御運転の制御出力の過去実績の平均化において、なるべく長期間の制御出力の過去実績を平均化し、より実態に近い平均値による制御を行う必要がある。しかし、特許文献２の平均化では、平均化後の変動割合が平準化されていないため、平均化誤差が大きくなる。そのため、効率の良い換気が実現できない。また、平均期間日数に応じてメモリ容量を消費する構成となっている。そのため、長期間の過去実績を平均化するためには、膨大なメモリ数が必要となる。
【００１０】
また、特許文献１および２では、計測制御運転とプログラム運転の２つの運転方法しか備えていないため、トンネル内の汚染が急激に悪化した場合など特別な制御が求められる場面においては、効率の良い換気が実現できない。
【００１１】
本発明の目的は、このような課題を解決し、計測制御運転におけるＪＦの運転実績に基づいてプログラム運転を行うトンネル換気設備の運転方法において、効率の良いトンネル内換気を実現することを目的としている。
【課題を解決するための手段】
【００１２】
前記の目的を達成するために、本発明によれば、トンネル内に設置された換気機を少なくとも計測制御運転またはプログラム運転に切り換えて運転するトンネル換気設備の運転方法において、前記計測制御運転では、トンネル内の風向風速および煙霧透過率を測定し、
少なくとも前記風向風速または前記煙霧透過率の測定値に基づいて所定の周期毎に前記換気機の換気方向または運転台数の制御出力を決定し、該制御出力により前記換気機の換気方向または運転台数を制御し、前記プログラム運転では、前記周期毎にあらかじめ設定された制御出力値を用いて前記換気機の換気方向および運転台数を制御し、前記周期毎の前記計測制御運転の制御出力の所定期間の実績を累積移動平均値として演算し、該累積移動平均値を前記プログラム運転の新たな前記制御出力値として更新し、一定期間ごとに前記所定期間を変更して前記累積移動平均値を演算することを特徴とするトンネル換気設備の運転方法とする。
【００１３】
また、本発明によれば、上記の運転方法において、少なくとも前記煙霧透過率の測定値が設定値を下回った場合には、前記計測制御運転または前記プログラム運転の前記周期にかかわらず、前記換気機の運転台数を最大とする非常制御運転により運転することを特徴とするトンネル換気設備の運転方法とする
また、本発明によれば、上記の運転方法において、トンネル内の一酸化炭素濃度を測定し、少なくとも該一酸化炭素濃度の測定値が設定値を上回った場合には、前記計測制御運転または前記プログラム運転の前記周期にかかわらず、前記換気機の運転台数を最大とする非常制御運転により運転することを特徴とするトンネル換気設備の運転方法とする。
【００１４】
また、本発明によれば、上記の運転方法において、前記非常制御運転が一定時間継続した場合には、前記プログラム運転により運転することを特徴とするトンネル換気設備の運転方法とする。
【００１５】
また、本発明によれば、上記の運転方法において、前記非常制御運転により運転した期間においては、前記計測制御運転の制御出力に代えて前記非常制御運転の制御出力を用いることを特徴とするトンネル換気設備の運転方法とする。
【００１６】
以上の方法とすることで、計測制御運転の運転実績の平均化において累積移動平均値を用いるとともに、運転実績を平均化する期間を定期的に変更するため、より実態に近い平均値に基づく制御が可能となり、効率の良いトンネル内換気を実現することができる。また、平均化の結果を時間帯別のメモリへ更新書き換えするため、平均化する期間にかかわらずメモリ消費を一定にできる。
【００１７】
さらに、計測制御運転およびプログラム運転以外に非常制御運転を備えているため、特別な制御が求められるような場面においても、効率の良いトンネル内換気を実現することができる。
【発明の効果】
【００１８】
本発明により、プログラム運転の場合や特別な制御が求められる場面において、効率の良いトンネル内の換気を実現することができる。
【図面の簡単な説明】
【００１９】
【図１】本発明の実施例の換気設備の制御機能のブロック図である。
【図２】本発明の実施例の計測制御運転におけるＪＦの換気方向の制御フローを示す図である。
【図３】本発明の実施例の計測制御運転におけるＪＦの運転台数についての運転ノッチとＶＩ値との演算処理を示す図である。
【図４】本発明の実施例のプログラム運転の設定値の変更補正の演算で用いられる、計測制御運転のＪＦの換気方向の実績例を示す図である。（Ａ）は任意の「平日」０：００〜０：３０の１０分ごとの計測制御運転の制御出力実績（Ｄｐｔｎｍ）の例、（Ｂ）は任意の第２週までの「平日」０：００〜０：３０の１０分ごとの計測制御運転の制御出力実績（Ｄｐｔｎｍ）を各日ごとに３０分単位で平均化した値（Ｄｐｔｎ）の例である。
【図５】本発明の実施例のプログラム運転の設定値の変更補正の演算で用いられる、計測制御運転のＪＦの運転ノッチの実績例を示す図である。（Ａ）は任意の「平日」０：００〜０：３０の１０分ごとの計測制御運転の制御出力実績（Ｎｐｔｎｍ）の例、（Ｂ）は任意の第２週までの「平日」０：００〜０：３０の１０分ごとの計測制御運転の制御出力実績（Ｎｐｔｎｍ）を各日ごとに３０分単位で平均化した値（Ｎｐｔｎ）の例である。
【図６】プログラム運転の自動補正換気方向（Ｄｐｔ）のプログラム設定値の変更補正における累積移動平均値の演算において、一定期間ごとに、累積移動平均値の分母となるパターンごとの日数（ｎ）の初期設定値（ｎ０）を当該期間の増加量との見合いで減じて演算を行う制御フローである。
【図７】プログラム運転の自動補正運転ノッチ（Ｎｐｔ）のプログラム設定値の変更補正における累積移動平均値の演算において、一定期間ごとに、累積移動平均値の分母となるパターンごとの日数（ｎ）の初期設定値（ｎ０）を当該期間の増加量との見合いで減じて演算を行う制御フローである。
【図８】非常制御運転における悪化制御フローを示す図である。
【図９】非常制御運転における悪化制御フローにおいて、悪化状態が２４時間継続した場合の制御フローを示す図である。
【図１０】従来のトンネル換気設備の運転方法を説明するための図である。
【発明を実施するための形態】
【００２０】
実施の形態を以下の実施例により説明する。
【実施例】
【００２１】
図１は、本発明の実施例の換気設備の制御機能のブロック図である。図１の換気制御盤６において、単独を選択した場合、換気動力盤７よりＪＦ１の１台ごとに「正転」、「逆転」、「停止」の操作が可能となる。また、「連動」を選択した場合は、換気制御盤６から「正転」、「逆転」、「停止」の信号を換気動力盤７に送りＪＦ１を運転できる。「連動」かつ「自動」を選択した場合には、「計測制御運転」または「プログラム運転」のいずれかを選択できる。また、「計測制御運転」または「プログラム運転」の運転中に所定の条件を満たした場合には、即座に「非常制御運転」に切り替えて運転を行う。
【００２２】
計測制御運転について説明する。計測制御運転では、１台のＡＶ計とトンネル内の両坑口付近に設置した２台のＶＩ計の測定値に基づいて、ＪＦの運転台数および換気方向（正転、逆転）が制御される。
【００２３】
図２は計測制御運転におけるＪＦの換気方向の制御フローを示す図である。換気方向は、ＡＶ計により自然風の風向風速を判定した上で、風速２ｍ／ｓ以上の場合には、自然風の風向と同じ方向になるように換気方向の制御出力を決定する。そして、風速２ｍ／ｓ未満の場合には、２台のＶＩ計のＶＩ値（煙霧透過率）を比較演算し、ＶＩ値の大→小、すなわちＶＩ値が悪化している方向（汚れている方向）に吹くように換気方向の制御出力を決定する。なお、２台のＶＩ計のうち１台でも故障または点検中の場合には、ＶＩ値の比較不可のため、プログラム運転において設定された換気方向へ制御出力を決定する。
【００２４】
図３は計測制御運転におけるＪＦの運転台数についての運転ノッチとＶＩ値との演算処理を示す図である。ここでノッチとは、ＪＦの任意の運転台数を示す。運転ノッチのレベルは、ＶＩ値（％）に基づいて決定され、設定値は「上限（６５％）」、「下限１（５０％）」、「下限２（４５％）」の３段階である。２台のＶＩ計におけるＶＩ値の低い方を運転制御に使用する。ＶＩ値が設定値を下回った場合には、次回の制御周期で運転ノッチの上げ指令を出力する。２つのＶＩ値がともに「上限」設定値を超えた場合には、以後、制御周期の経過ごとに運転ノッチの下げ指令を出力する。運転ノッチは、制御周期ごとにその時点のＶＩ値を読み込んで判定を行う。制御周期は、例えば１〜６０分の範囲で設定可能である。
【００２５】
なお、図７および図８で説明する非常制御運転においては、計測制御運転時またはプログラム運転時のいずれかにかかわらず、また、各運転の制御周期にかかわらず、ＶＩ値が悪化した場合には、予め設定した悪化確認時間経過後（設定時間は、例えば０〜６００秒の範囲で設定）運転ノッチを最大まで引き上げることができる。ＶＩ値が悪化した時点で即座に運転ノッチを最大まで引き上げた場合には、図３の「実測値＜４５％で６ノッチ（ＶＩ悪化）」のようになる。１つの制御周期ごとに運転ノッチの上げ指令（＋１ノッチ）を出力する場合は、運転ノッチを最大（６ノッチ）まで引き上げるには、一定の制御周期の経過を待たなければならず、効果的な換気が実現できない。しかし、制御周期にかかわらず、即座に運転ノッチを最大まで引き上げる制御を行うことにより、トンネル内の環境に即座に対応した制御が可能となり、効果的な換気を実現できる。
【００２６】
ＶＩ悪化解除は、ＶＩ値が下限値２（４５％）を回復してから復帰確認時間（例えば0〜６００秒の範囲で設定）を経過した後に行われる。復帰確認時間を制御周期と同じとした場合には、図３の「ＶＩ悪化解除」のようになる。
【００２７】
プログラム運転について説明する。プログラム運転では、あらかじめ設定された値により、ＪＦの換気方向および運転ノッチを制御する。設定値は、「平日」、「土曜」、「日曜」、「祝日」の４パターンにおいて、計測制御運転における換気方向および運転台数の制御出力の時間帯別（３０分単位）の過去の実績に基づいて設定される。時間帯別の実績を順次演算し、次回のプログラム設定値として自動的に変更補正を行い、設定値を上書きして書き換える。
【００２８】
図４は、本発明の実施例のプログラム運転の設定値の変更補正の演算で用いられる、計測制御運転のＪＦの換気方向の実績例を示す図である。（Ａ）は任意の「平日」０：００〜０：３０の１０分ごとの計測制御運転の制御出力実績値（Ｄｐｔｎｍ）の例、（Ｂ）は任意の第２週までの「平日」０：００〜０：３０の１０分ごとの計測制御運転の制御出力実績（Ｄｐｔｎｍ）を各日ごとに３０分単位で平均化した値（Ｄｐｔｎ）の例である。
【００２９】
図５は、本発明の実施例のプログラム運転の設定値の変更補正の演算で用いられる、計測制御運転のＪＦの運転ノッチの実績例を示す図である。（Ａ）は任意の「平日」０：００〜０：３０の１０分ごとの計測制御運転の制御出力実績値（Ｎｐｔｎｍ）の例、（Ｂ）は任意の第２週までの「平日」０：００〜０：３０の１０分ごとの計測制御運転の制御出力実績（Ｎｐｔｎｍ）を各日ごとに３０分単位で平均化した値（Ｎｐｔｎ）の例である。
【００３０】
なお、以下の図４および図５の説明において、ｐは、各パターン（「平日」、「土曜」、「日曜」、「祝日」）である。ｔは、時間帯（３０分単位。０：００〜０：３０、０：３０〜１：００・・・２３：３０〜２４：００）である。ｎは日数である。ｍは、時間帯ｔ（例えば０：００〜０：３０）における制御回数（１０分ごとの場合には１〜３回）である。但し、以上の条件は限定されるものではなく、任意に変更できる。
【００３１】
図４により、プログラム運転の換気方向の設定値の変更補正例における自動補正換気方向（Ｄｐｔ）の演算を説明する。まず、計測制御運転の１０分ごとの制御出力実績値（Ｄｐｔｎｍ）を測定する。そして、次のとおり、パターンごとに時間帯別（３０分単位）に平均化して平均値（Ｄｐｔｎ）を演算する。
【００３２】
Ｄｐｔｎ＝（１／ｍ）ΣＤｐｔｎｍ
正転時：Ｄｐｔｎｍ＝＋１
逆転時：Ｄｐｔｎｍ＝−１
※Ｄｐｔ＝０となった場合は、正転（または逆転）と判定する。
【００３３】
図４の（Ａ）では、任意の「平日」（月曜）の「０：００〜０：３０」の時間帯における１０分ごとの計測制御運転の制御出力実績値（Ｄｐｔｎｍ）の例が示されている。この例では、当該時間帯における平均値（Ｄｐｔｎ）は次のとおりとなる。
【００３４】
Ｄ平０００１＝（１／３）（Ｄ平０００１０１＋Ｄ平０００１０２＋Ｄ平０００１０３）
＝（１／３）（１＋１＋０）
＝＋２／３  →  判定：正転
図４の（Ｂ）では、任意の「平日」の各日（月曜〜金曜）の「０：００〜０：３０」の時間帯における各日の計測制御運転の平均値（Ｄｐｔｎ）の例が示されている。
【００３５】
この計測制御運転の平均値（Ｄｐｔｎ）に基づいて、パターンごとに時間帯別（３０分単位）のプログラム運転の自動補正換気方向（Ｄｐｔ）を累積移動平均値として演算してプログラム設定値を求める。当該設定値は、累積移動平均値の演算により順次上書き更新されることにより、自動的に変更補正されることになる。ここで、累積移動平均値とは、次の式により定義される。
【００３６】
Ｄｐｔ＝（１／ｎ）（（「前日までのＤｐｔ」×「ｎ−１」）＋「計測制御運転の今回値」）
図４の（Ｂ）の例では、「０：００〜０：３０」の時間帯における「第１週の月曜〜火曜（日数：２日）」までの計測制御運転の実績により累積移動平均値として演算されるプログラム運転の「平日」の自動補正換気方向（Ｄｐｔ）は次のとおりとなる。
【００３７】
Ｄ平００＝（１／２）（（Ｄ平０００１×（２−１）＋Ｄ平０００２）
＝（１／２）（２／３×１−１／３）
＝１／６  →  判定：正転
同様に、「０：００〜０：３０」の時間帯における「第１〜２週の月曜〜金曜（日数：１０日）」までの計測制御運転の実績により累積移動平均値として演算されるプログラム運転の「平日」の自動補正換気方向（Ｄｐｔ）は次のとおりとなる。
【００３８】
Ｄ平００＝（１／１０）（（Ｄ平０００９までのＤｐｔ×（１０−１）＋Ｄ平００１０）
＝（１／１０）（１／２７×９−１／６）
＝１／６０  →  判定：正転
以上のとおり、プログラム運転の自動補正換気方向（Ｄｐｔ）は、各パターンにおける時間帯別（３０分単位）に累積移動平均値として演算されて設定値として用いられる。また、当該設定値は、累積移動平均値の演算に伴い、順次、上書き更新される。具体的なフローは図６において説明する。
【００３９】
図５により、プログラム運転の運転ノッチの設定値の変更補正例における自動補正運転ノッチ（Ｎｐｔ）の演算を説明する。まず、計測制御運転の１０分ごとの制御出力実績値（Ｎｐｔｎｍ）を測定する。そして、次のとおり、パターンごとに時間帯別（３０分単位）に平均化して平均値（Ｎｐｔｎ）を演算する。
【００４０】
Ｎｐｔｎ＝（１／ｍ）Σ｜Ｎｐｔｎｍ｜
図５の（Ａ）では、任意の「平日」（月曜）の「０：００〜０：３０」の時間帯における１０分ごとの計測制御運転の制御出力実績値（Ｎｐｔｎｍ）の例が示されている。この例では、当該時間帯における平均値（Ｎｐｔｎ）は次のとおりとなる。
【００４１】
Ｎ平０００１＝（１／３）（Ｎ平０００１０１＋Ｎ平０００１０２＋Ｎ平０００１０３）
＝（１／３）（５＋６＋０）
＝３．６６・・  →  判定：４ノッチ
図５の（Ｂ）では、任意の「平日」の各日（月曜〜金曜）の「０：００〜０：３０」の時間帯における各日の計測制御運転の平均値（Ｎｐｔｎ）の例が示されている。
【００４２】
この計測制御運転の平均値（Ｎｐｔｎ）に基づいて、パターンごとに時間帯別（３０分単位）のプログラム運転の自動補正運転ノッチ（Ｎｐｔ）を累積移動平均値として演算してプログラム設定値を求める。当該設定値は、累積移動平均値の演算により順次上書き更新されることにより、自動的に変更補正されることになる。ここで、累積移動平均値とは、次の式により定義される。
【００４３】
Ｎｐｔ＝（１／ｎ）（（「前日までのＮｐｔ」×「ｎ−１」）＋「計測制御運転の今回値」）
図５の（Ｂ）の例では、「０：００〜０：３０」の時間帯における「第１週の月曜〜火曜（日数：２日）」までの計測制御運転の実績により累積移動平均値として演算されるプログラム運転の「平日」の自動補正運転ノッチ（Ｎｐｔ）は次のとおりとなる。
【００４４】
Ｎ平００＝（１／２）（（Ｎ平０００１×（２−１）＋Ｎ平０００２）
＝（１／２）（４×１＋２）
＝３  →  判定：３ノッチ
同様に、「０：００〜０：３０」の時間帯における「第１〜２週の月曜〜金曜（日数：１０日）」までの計測制御運転の実績により累積移動平均値として演算されるプログラム運転の「平日」の自動補正運転ノッチ（Ｎｐｔ）は次のとおりとなる。
【００４５】
Ｎ平００＝（１／１０）（（Ｎ平０００９までのＮｐｔ×（１０−１）＋Ｎ平００１０）
＝（１／１０）（３×９＋１）
＝２．８  →  判定：３ノッチ
以上のとおり、プログラム運転の自動補正運転ノッチ（Ｎｐｔ）は、各パターンにおける時間帯別（３０分単位）に累積移動平均値として演算されて設定値として用いられる。また、当該設定値は、累積移動平均値の演算に伴い、順次、上書き更新される。具体的なフローは図７において説明する。
【００４６】
図６および７は、プログラム運転の自動補正換気方向（Ｄｐｔ）および自動補正運転ノッチ（Ｎｐｔ）のプログラム設定値の変更補正における累積移動平均値の演算において、一定期間（例えば、３ヶ月や半年など）ごとに、累積移動平均値の分母となるパターンごとの日数（ｎ）の初期設定値（ｎ０）を当該期間の増加量との見合いで減じて演算を行う制御フローである。図６は自動補正換気方向（Ｄｐｔ）のプログラム設定値変更補正の制御フローであり、図７は自動補正運転ノッチ（Ｎｐｔ）のプログラム設定値変更補正の制御フローである。
【００４７】
図６および７では、計測制御運転において、現時間帯における自動補正換気方向（Ｄｐｔ）および自動補正運転ノッチ（Ｎｐｔ）と日数を読み込み、累積移動平均値の演算を行う。そして、換気方向および運転ノッチのプログラム設定値を演算した累積移動平均値に書き換える。以後、時間帯ごとに同様の読み込み、演算、書き換えを繰り返す。
【００４８】
そして、特定の期日（２ＸＸＸ年４月１日or７月１日or１０月１日or１２月１日）をあらかじめ指定しておき、当該期日になった場合、自動補正換気方向（Ｄｐｔ）および自動補正運転ノッチ（Ｎｐｔ）として求められる累積移動平均値の演算において、累積移動平均値の分母となるパターンごとの日数（ｎ）を次のとおり減じる処理を行う。
【００４９】
ｎ＝（１／２）（ｎ−ｎ０）
そして、上記で求めた新しい日数を日数（ｎ）の初期設定値（ｎ０）として書き換えた上で、以後、再び、時間帯ごとに同様の読み込み、演算、書き換えを繰り返す。
【００５０】
各パターンの時間帯ごとの計測制御運転の過去の運転実績を平均化または移動平均化してプログラム運転の設定値の変更補正を行う場合において、過去の全期間の運転実績を演算するならば、日数（ｎ）が永久に増加することとなり、今回値の重みが小さくなってしまう。また、常に直近の過去一定期間の運転実績を演算するならば、実態に近い平均値を求められない。さらに、いずれも平均化期間の日数に応じてメモリ容量を消費することとなる。これは例えば、ある任意の１年間（「平日」２４５日）のメモリ容量は、時間帯別（３０分単位）では、４８分割×１年（「平日」２４５日）＝１１７６０ワード必要となる。１ワードは２バイトなので、１年の「平日」だけで約２３キロバイト消費する。
【００５１】
しかし、本発明では、各パターンの時間帯ごとの計測制御運転の過去の運転実績を累積移動平均値として演算し、さらに累積移動平均値の分母となる日数（ｎ）を一定期間の増加量見合いで減じた上で、累積移動平均値を演算している。そのため、今回値の重みを保ちながら、過去平均値と今回平均値を比較した場合に、平均化後の変動割合を平準化できる。その結果、より実態に近い平均値により判定できるため、平均化誤差が少ない。また、計測制御運転の運転実績を累積移動平均化した上で、時間帯別のメモリへ更新書き換えを続けるため、平均化する期間を限定せず、メモリ消費を一定にできる。例えば、時間帯別（３０分単位）では、４８分割×４種類（「平日」、「土曜」、「日曜」、「祝日」）＝１９２ワードとなり、メモリ消費量は３８４バイトで良いことになる。これは、上述した平均化期間の日数に応じてメモリ容量を消費する場合の「平日」４日分（＝１９２÷４８分割）である。
【００５２】
図８は、非常制御運転における悪化制御フローを示す図である。ここでは、ＶＩ値だけでなく、ＣＯ計により測定された一酸化炭素濃度（ＣＯ値）も用いる。計測制御運転またはプログラム運転にかかわらず、ＶＩ値が悪化レベル設定値を下回った場合またはＣＯ値が悪化レベル設定値を上回った場合には、直ちにＪＦの運転台数を最大として運転する非常制御運転に移行する。その場合には、ＡＶ計により自然風の風向風速を測定した上で、風速２ｍ／ｓ以上の場合には、自然風と同じ方向になるように換気方向の制御出力を決定する。風速２ｍ／ｓ未満の場合には、２台のＶＩ計の測定値を比較演算し、ＶＩ値の大→小、すなわちＶＩ値が悪化している方向、または、ＣＯ計の測定値に基づいてＣＯ値の小→大、すなわちＣＯ値が悪化している方向に吹くように換気方向の制御出力を決定する。なお、ＶＩ値の悪化レベル設定値は４５％以下、ＣＯ値の悪化レベル設定値は１００ｐｐｍ以上とする。
【００５３】
非常制御運転は、計測制御運転またはプログラム運転のいずれの運転方法であるかにかかわらず、また、各運転の制御周期とも関係なく、ＶＩ値が悪化レベル設定値を下回った時点またはＣＯ値が悪化レベル設定値を上回った時点において自動的に開始され、ＪＦの運転台数を最大まで引き上げることができる。１つの制御周期ごとに運転ノッチの上げ指令（＋１ノッチ）を出力する場合は、運転ノッチを最大（６ノッチ）まで引き上げるには、一定の制御周期の経過を待たなければならず、効果的な換気が実現できない。しかし、制御周期にかかわらず、直ちに運転ノッチを最大まで引き上げる制御を行うことにより、トンネル内の環境に迅速に対応した制御が可能となり、効果的な換気を実現できる。
【００５４】
図９は、非常制御運転における悪化制御フローにおいて、悪化状態が２４時間継続した場合の制御フローを示す図である。非常制御運転に移行してＪＦの運転台数を最大にして運転した状態が２４時間継続した場合には、計測機器が故障したものとみなして、自動的にプログラム運転へ移行する。復帰は手動で行われる。これにより、計測機器が故障等の場合であっても、合理的な運転方法によりトンネル内換気設備の運転を行うことができる。
【００５５】
なお、非常制御運転によるＪＦの換気方向および運転ノッチの制御出力の実績についても、計測制御運転の実績と同様に時間帯別（３０分単位）で順次演算し、次回のプログラム設定値として自動的に変更補正を行い、設定値を上書きして書き換える。この場合、計測制御運転の実績に代えて非常制御運転の実績を用いることになる。計測制御運転の過去実績のみならず、非常制御運転の過去実績についてもプログラム設定値の変更に反映させることにより、よりトンネル内の環境に対応したプログラム運転を行うことができる。
【符号の説明】
【００５６】
１    ＪＦ
２    ＶＩ計
３    ＣＯ計
４    ＡＶ計
５    計測盤
６    換気制御盤
７    換気動力盤
【図１】
0005392480.tif 000002
【図２】
0005392480.tif 000003
【図３】
0005392480.tif 000004
【図４】
0005392480.tif 000005
【図５】
0005392480.tif 000006
【図６】
0005392480.tif 000007
【図７】
0005392480.tif 000008
【図８】
0005392480.tif 000009
【図９】
0005392480.tif 000010
【図１０】
0005392480.tif 000011